(57)【要約】【課題】責任者が鍵を外す操作を行うことで初めて光コネクタプラグを抜くことができ、各部署の責任者以外の者には光コネクタプラグを抜くことができないようにして、諸々のプラグセキュリティシステムを構築可能にした光コネクタを提供する。【解決手段】プラグフレーム１２に対しツマミ１８の軸方向への移動を阻止するためのロックプレート２１を備える。ロックプレート２１は、ストップリング１４に外嵌する把持アーム部２１ａと、該把持アーム部２１ａから軸方向に沿って延設した弾性プレート部２１ｂと、該弾性プレート部２１ｂの先端から軸方向に対して直角外向きに突設した係合部２２とを備え、該係合部２２は、ツマミ１８の内壁に備えた係止部３１ｄに係止して、プラグフレーム１２に対しツマミ１８の軸方向への移動を阻止する。【選択図】図１
2012141392.tif 000002
【特許請求の範囲】
【請求項１】
光ファイバの先端近傍が挿入されたフェルールを内蔵したプラグフレームと、フェルールの後端部側が挿入され、プラグフレームの後端部内側にスプリングを介して嵌挿されるストップリングと、プラグフレームを先端側から挿入して収納配置させるツマミとを有し、ツマミとプラグフレームが別々に動いて、アダプタのロックを解除可能とする光コネクタタプラグであって、プラグフレームに対しツマミの軸方向への移動を阻止するためのロックプレートを設けたことを特徴とする光コネクタ。
【請求項２】
ロックプレートは、ストップリングに外嵌される把持アーム部と、該把持アーム部から軸方向に沿って延設された弾性プレート部と、該弾性プレート部の先端から軸方向に対して直角外向きに突設された係合部とを備え、該係合部は、ツマミの内壁に設けた係止部に係止されて、ツマミに対しプラグフレームの軸方向への抜去移動を阻止するよう形成されている請求項１記載の光コネクタ。
【請求項３】
アダプタから光コネクタプラグを抜去する時にはツマミの内壁とロックプレートの係合部との間に差し込むことにより当該係合部をストップリング側へ押圧させ、ツマミの係止部に対する係合部の係合を解除可能とした係合解除用の抜去用キー工具を具備してなる請求項２記載の光コネクタ。
【請求項４】
ツマミには、抜去用キー工具を挿入させてこの先端をロックプレートの押圧面部に案内させるためのガイド用キー孔部を備え、このガイド用キー孔部のキー孔形状を抜去用キー工具のキー溝形状に対応するように形成してなる請求項３記載の光コネクタ。
【請求項５】
ガイド用キー孔部のキー孔内側に1個ないし複数個のガイド突条を設け、該各ガイド突条に対応する１本ないし複数本のキー溝を設けた抜去用工具を備えている請求項４記載の光コネクタ。
【発明の詳細な説明】
【技術分野】
【０００１】
本発明は、フェルールを備えた光コネクタプラグをアダプタに脱着可能に接続する光コネクタ、特に作業者等が勝手に抜いては困る用途に対応可能とした光コネクタに関する。
【背景技術】
【０００２】
従来、フェルールを備えた光コネクタプラグをアダプタに着脱可能に接続するＳＣアダプタは、スライドロック構造によるプッシュオン形締結構造を採用しており、光コネクタプラグをアダプタに押し込む／引き抜くだけで結合／離脱ができる。当該光コネクタプラグをアダプタに押し込むとアダプタ内のスリーブに形成されたツメが光コネクタプラグのツマミによって押し広げられ、更に押込むことでツメがプラグフレームの突起にロックし結合する。また、ツマミを持って光コネクタプラグをアダプタから引き抜こうとすると、ツマミがプラグフレームに対してスライドしながらアダプタのツメを押し広げてロックを解除させ、更に引き抜くことでによって離脱ができる。
【先行技術文献】
【特許文献】
【０００３】
【特許文献１】特になし
【発明の概要】
【発明が解決しようとする課題】
【０００４】
しかしながら、従来の光コネクタにおいては、ツマミ自体を所定ストローク後退させることは誰もが自由に行えるものとなっているため、作業者が勝手に光コネクタプラグを抜いては困る用途に対応できないものとなっている。
【０００５】
例えば、パッチパネルやＨＵＢ、情報コンセント空きボードをロックして、個人情報の保護、不正アクセスやウイルスから大切なデータを保護する等のようなネットワークセキュリティシステムを必要とする場合、従来では光コネクタプラグが相手側コネクタやアダプタに装着されていてもツマミ自体は誰もが自由に移動操作できるため、作業者が勝手に光コネクタプラグを抜いてしまう虞がある。
【０００６】
しかも、最近はＩＴ技術の普及に伴い家庭内に光接続システムが装備されていることが多く、子供等が間違ってあるいは悪戯で光コネクタプラグを抜いてしまう虞がある。
【０００７】
このように、従来の光コネクタにおいては、十分なネットワークセキュリティシステムが活かされていないのが実状である。
【０００８】
そこで、本発明は、叙上のような従来存した諸事情に鑑み案出されたもので、作業者が勝手に光コネクタプラグを抜いては困る用途に対応すべく、責任者が鍵を外す操作を行うことで初めて光コネクタプラグを抜くことができるようにし、各部署の責任者以外の者には光コネクタプラグを抜くことができないようにして、諸々のプラグセキュリティシステムを構築可能にした光コネクタを提供することを目的とする。
【課題を解決するための手段】
【０００９】
上述した課題を解決するために、本発明にあっては、光ファイバの先端近傍が挿入されたフェルールを内蔵したプラグフレームと、フェルールの後端部側が挿入され、プラグフレームの後端部内側にスプリングを介して嵌挿されるストップリングと、プラグフレームを先端側から挿入して収納配置させるツマミとを有し、ツマミとプラグフレームが別々に動いて、アダプタのロックを解除可能とする光コネクタタプラグであって、プラグフレームに対しツマミの軸方向への移動を阻止するためのロックプレートを設けたことを特徴とする。
【００１０】
また、ロックプレートは、ストップリングに外嵌される把持アーム部と、該把持アーム部から軸方向に沿って延設された弾性プレート部と、該弾性プレート部の先端から軸方向に対して直角外向きに突設された係合部とを備え、該係合部は、ツマミの内壁に設けた係止部に係止されて、ツマミに対しプラグフレームの軸方向への抜去移動を阻止するよう形成されている。
【００１１】
アダプタから光コネクタプラグを抜去する時にはツマミの内壁とロックプレートの係合部との間に差し込むことにより当該係合部をストップリング側へ押圧させ、ツマミの係止部に対する係合部の係合を解除可能とした係合解除用の抜去用キー工具を具備してなる。
【００１２】
そして、ツマミには、抜去用キー工具を挿入させてこの先端をロックプレートの押圧面部に案内させるためのガイド用キー孔部を備え、このガイド用キー孔部のキー孔形状を抜去用キー工具のキー溝形状に対応するように形成してなる。
【００１３】
そしてまた、ガイド用キー孔部のキー孔内側に1個ないし複数個のガイド突条を設け、該各ガイド突条に対応する１本ないし複数本のキー溝を設けた抜去用工具を備えている。
【発明の効果】
【００１４】
本発明によれば、作業者等が勝手に光コネクタプラグを抜いては困る用途に対応でき、責任者がキーの解除操作を行うことで初めて光コネクタプラグを抜くことができる。
【００１５】
しかも、各部署の責任者以外の者には光コネクタプラグを抜くことができないことから、諸々のプラグセキュリティシステムを構築可能にする。
【００１６】
すなわち、プラグフレームに対しツマミの軸方向への移動を阻止するためのロックプレートを設けているため、作業者等が勝手に光コネクタプラグを抜いては困るような仕様・用途にも十分に対応でき、会社や事業所等の各部署の責任者以外の者には光コネクタプラグの抜去（キー解除）ができないという諸々の光コネクタプラグセキュリティシステムを構築することができる。
【００１７】
また、ロックプレートは、ストップリングに外嵌される把持アーム部と、該把持アーム部から軸方向に沿って延設された弾性プレート部と、該弾性プレート部の先端から軸方向に対して直角外向きに突設された係合部とを備え、該係合部は、ツマミの内壁に設けた係止部に係止されて、ツマミに対しプラグフレームの軸方向への抜去移動を阻止しているので、不必要な光コネクタプラグの抜去を確実に阻止することができる。
【００１８】
また、アダプタから光コネクタプラグを抜去する時にはツマミの内壁とロックプレートの係合部との間に差し込むことにより当該係合部をストップリング側へ押圧させ、ツマミの係止部に対する係合部の係合を解除可能とした係合解除用の抜去用キー工具を具備してなるので、アダプタから光コネクタプラグを抜去する必要が生じたときにのみ抜去用キー工具を差し込むだけで光コネクタプラグをアダプタから容易に抜去することができる。
【００１９】
そして、ツマミには、抜去用キー工具を挿入させてこの先端を押圧面に案内させるためのガイド用キー孔部を備え、このガイド用キー孔部のキー孔形状を抜去用キー工具のキー溝形状に対応するように形成してなるので、当該キー溝形状とは異なるキー孔形状を有するガイド用キー孔部の場合には抜去用キー工具の挿入が阻止される。
【００２０】
これによって種々なキー孔形状を有する光コネクタプラグおよび前記キー孔形状に対応する種々なキー溝形状を有する抜去用キー工具を各々複数用意することで当該抜去用キー工具の所有者以外の者によるキー解除を防止することができる。
【００２１】
そしてまた、ガイド用キー孔部のキー孔内側に1個ないし複数個のガイド突条を設け、該各ガイド突条に対応する１本ないし複数本のキー溝を設けた抜去用工具を備えているので、例えば会社や事業所等において、各レベル（部署）の責任者以外の者によるキー解除ができないような光コネクタプラグセキュリティシステムを構築することができる。
したがって、光コネクタの仕様・用途等を広範囲に拡げることが可能となる。
【図面の簡単な説明】
【００２２】
【図１】本発明を実施するための一形態を示す光コネクタの分解斜視図である。
【図２】光コネクタの組立後の状態を示し、（ａ）は平面図、（ｂ）は側面図、（ｃ）は底面図、（ｄ）は正面図、（ｅ）は背面図である。
【図３】ツマミ取付前の光コネクタプラグの斜視図である。
【図４】ロックプレートの全体構成を下側から見た斜視図である。
【図５】同じくロックプレートの一例を示し、（ａ）は平面図、（ｂ）は側面図、（ｃ）は底面図、（ｄ）は正面図、（ｅ）は背面図である。
【図６】アダプタと光コネクタが嵌合した状態を示し、（ａ）は部分平断面図、（ｂ）は部分側断面図である。
【図７】ツマミのキー孔に抜去用キー工具を挿入した状態を示し、（ａ）は部分平断面図、（ｂ）は部分側断面図である。
【図８】抜去用キー工具を押し込み、ツマミのロックが解除された状態を示し、（ａ）は部分平断面図、（ｂ）は部分側断面図である。
【図９】ツマミを後退させて、アダプタのロックが解除された状態を示し、（ａ）は部分平断面図、（ｂ）は部分側断面図である。
【図１０】アダプタから光コネクタを抜いた状態を示し、（ａ）は部分平断面図、（ｂ）は部分側断面図である。
【図１１】ツマミと抜去用キー工具の斜視図である。
【図１２】ロックプレートによるロック部分の詳細を示すもので、（ａ）はロック状態の拡大された部分断面図、（ｂ）はキー孔部に抜去用キー工具を挿入して係合部が内方変形した状態の拡大断面図である。
【図１３】同じく抜去用キー工具のキー溝形状と受側であるガイド用キー孔部のキー孔形状との挿入可否を示す説明図であり、責任レベル（役職）と鍵形状とを対応させて操作できる範囲を示している。
【図１４】抜去用キー工具をガイド用キー孔部に挿入した状態を示し、（ａ）は図１３中の総責任者のキー工具による組み合わせ状態を示す縦断面図、（ｂ）は図１３中の責任レベル１のキー工具による組み合わせ状態を示す縦断面図、（ｃ）は図１３中の責任レベル２のキー工具による組み合わせ状態を示す縦断面図、（ｄ）は図１３中の責任レベル３のキー工具による組み合わせ状態を示す縦断面図である。
【図１５】ロックプレートによるツマミのロック状態の詳細を示し、（ａ）は光コネクタの背面図、（ｂ）は（ａ）のＡ−Ａ断面図、（ｃ）は（ａ）のＢ−Ｂ断面図である。
【図１６】ツマミの突起位置を基準としてガイド用キー孔部の位置を変えた場合の例を示し、（ａ）はガイド用キー孔部をツマミの突起側平面に設けた場合の斜視図、（ｂ）はガイド用キー孔部を突起位置に対してツマミ左側面側に設けた場合の斜視図、（ｃ）はガイド用キー孔部を突起位置に対してツマミ右側面側に設けた場合の斜視図である。
【発明を実施するための形態】
【００２３】
以下、図面を参照して本発明に係る光コネクタの実施の一形態を詳細に説明する。
本発明に係る光コネクタは、ＳＣコネクタの特徴であるツマミとプラグフレームが別々に動いて、アダプタのロックを解除するスライダロック機構となっている（図１０参照）。
【００２４】
すなわち、本光コネクタＰは、図１乃至図３に示すように、光ファイバの先端近傍が挿入されたフランジ１１ａ付きのフェルール１１を内蔵したプラグフレーム１２と、フェルール１１の後端部側が挿入され、プラグフレーム１２の後端部内側にスプリング１３を介して嵌挿されるストップリング１４と、ストップリング１４の後端側に嵌合されるケブラ固定用のカシメリング１５と、カシメリング１５の後端側に装着される外皮固定用のリング１６と、カシメリング１５とリング１６を覆う状態でストップリング１４の後端側に嵌合されるブーツ１７と、プラグフレーム１２を先端側から挿入して収納配置させる角筒状のツマミ１８とを有して成る。
【００２５】
また、前記スライドロック機構は、従来公知のプッシュオン形締結構造を採用しており、光コネクタプラグＰを後述するアダプタ３１に押し込むまたは引き抜くだけで結合または離脱ができるものとなっている。
【００２６】
すなわち、光コネクタプラグＰをアダプタ３１に押し込むとアダプタ３１内の後述する係止アーム３７のロック部３８が光コネクタプラグＰのツマミ１８によって押し広げられ、更に押し込むことでロック部３８がプラグフレーム１２の後述する係合部３９に係合しロック（結合）される。また、ツマミ１８は、これがアダプタ３１から引き抜かれる際には、ツマミ１８がプラグフレーム１２に対して後退スライドしながらアダプタ３１の係止アーム３７のロック部３８を押し広げてロック解除させ、更に引き抜くことで光コネクタプラグＰがアダプタ３１から離脱できるものとなっている。つまり、ロック部３８の両端が、ツマミ１８の左右対称位置に形成されている係合用開口部４６の上下一対の傾斜面部４５（図１、図２（ｂ）、図１１参照）に乗り上げることでロック解除される、これによって光コネクタＰがアダプタ３１から引き抜かれるものとなっている。
【００２７】
そして、ストップリング１４の略中央部において前後一対の環状のフランジによって挟まれている凹溝状の周壁を後述するロックプレート２１の装着部１４ａとしているとともに、後側のフランジは、ストップリング１４の後端側にカシメリング１５と共に嵌合されるブーツ１７の係止部となっている。このロックプレート２１は、ツマミ１８にプラグフレーム１２が嵌挿された際に、当該プラグフレーム１２のツマミ１８の軸方向への移動を阻止させる機構となっている。すなわち、ロックプレート２１の付設によってツマミ１８を軸方向に後退できなくすることでアダプタ３１のロック解除を不能にするように構成されている。
【００２８】
具体的には、ロックプレート２１は、図４および図５に示すように、ストップリング１４の装着部１４ａに外嵌状となって把持させるために、中央の溝２６を介して拡径方向に撓曲可能とした略Ｃリング状の把持アーム部２１ａと、該把持アーム部２１ａの基部側面から軸方向に沿って一体延設された弾性プレート部２１ｂと、該弾性プレート部２１ｂの先端から軸方向に対して直角外向きに突設された段差状の係合部２２と、該係合部２２に連なる中央の突起部２１ｃとを備えている。また、前記係合部２２位置と反対側における弾性プレート部２１ｂの面は断面円弧状に窪ませ、肉薄とすることで弾性を付与してある。さらに、ストップリング１４の装着部１４ａに把持アーム部２１ａを嵌め込み、弾性プレート部２１ｂをストップリング１４側に撓曲変形させる際に、弾性プレート部２１ｂ自体がブーツ１７の外壁に接触して変形の妨げとならないようにしてある。
【００２９】
また、前記突起部２１ｃは、垂直面状の係止面部２２ａと、テーパ面状の押圧面部２３と、狭幅な天面部２４とを有し、側面から見て略直角台形状に形成されている。さらに、前記突起部２１ｃの左右両側は切欠部２５ａ、２５ｂが形成されて前記係合部２２につながっている。
【００３０】
一方、ツマミ１８の一側（下面側）には、抜去用キー工具５１を挿入させるためのガイド用キー孔部４１が設けられている。そして、図６（ｂ）および図１２（ａ）および図１５（ａ）、図５（ｂ）、図１５（ｃ）に示すように、ツマミ１８にプラグフレーム１２が嵌挿された際には、ロックプレート２１の係合部２２は、その両側において当該ツマミ１８のガイド用キー孔部４１の内部両側に形成された係止部３１ｄ、３１ｄに係合されて、ツマミ１８がプラグフレーム１２の軸方向へ後退移動するのを阻止するようになっている。
【００３１】
すなわち、ツマミ１８のガイド用キー孔部４１の内部の上部壁面は矩形切欠部３１ｅとなって凹設されており、さらにその奥側中央には矩形切欠部３１ｅよりも狭幅な矩形凹状のガイド凹部３１ｆを備え、この矩形切欠部３１ｅとガイド凹部３１ｆとの間の両側には既述の係止部３１ｄ、３１ｄとなっている。そして、ツマミ１８にプラグフレーム１２が嵌挿された際には、係合部２２の両側がツマミ１８の両係止部３１ｄ、３１ｄに係合されて、ツマミ１８がプラグフレーム１２の軸方向へ後退移動するのを阻止し、またガイド用キー孔部４１に挿入された抜去用キー工具５１によって係止部２２両側が係止部３１ｄ、３１ｄから上下方向へ押圧、離脱した際には、ツマミ１８がプラグフレーム１２の軸方向へ後退移動できるようになっている。
【００３２】
つまり、図７（ｂ）に示すように、ツマミ１８のガイド用キー孔部４１に抜去用キー工具５１が差し込まれた際には、当該キー工具５１先端をロックプレート２１の突起部２１ｃの押圧面部２３側に案内させると共に、図８（ｂ）、図１２（ｂ）に示すように、当該押圧面部２３に抜去用キー工具５１の先端に形成された傾斜部５２が圧接した際には、弾性プレート部２１ｂが撓曲することで係合部２２はストップリング１４側へ変位され、ツマミ１８の係止部３１ｄ、３１ｄから係合部２２の両側が上方へ外れてツマミ１８に対するロックが解除されるようになっている。
【００３３】
こうして、光コネクタＰを抜く場合は抜去用キー工具５１を差し込むことにより、ロックプレート２１の突起部２１ｃを押し退け係合部２２のロック部分を解除することで、ツマミ１８が後退可能となり、ツマミ１８を引き抜くことで通常のＳＣコネクタと同じようにアダプタ３１からの抜去が可能となる。
【００３４】
アダプタ３１は、図６（ａ）、図７（ａ）、図８（ａ）、図９（ａ）、図１０（ａ）に示すように、上側壁、左右側壁、底壁、１つの仕切壁とが一体に形成されてなるハウジング３１ａにて形成され、このハウジング３１ａの両端には光コネクタＰの嵌合部３１ｂがそれぞれ水平方向に開口している。
【００３５】
また、アダプタ３１のハウジング３１ａ中央部に配される左右一対の接合端壁の一方には、一方の円筒３５が嵌合部端側に向かって突設してあると共に、他方の接合端壁には、他方の円筒３６が嵌合部３１ｂ端側に向かって突設してあり、両円筒３５、３６が光学軸上で中心軸を一致させて接合端壁同士を係合固定することによってスリーブホルダー３２が形成される。このとき、スリーブホルダー３２内側に円筒状の割りスリーブ３３が装着され保持されている。
【００３６】
さらに、アダプタ３１のハウジング３１ａ内部には、両円筒３５、３６を中心に挟んで両側に延長した１対の係止アーム３７を備えている。これら一対の係止アーム３７はその基部に配されたベース部を介して中心の両円筒３５、３６と共に一体的に成形されている。各係止アーム３７の先端部には、両円筒３５、３６の方へ向けて内側に突出する鈎状のロック部３８が形成され、挿入されるプラグフレーム１２の左右側面に形成されている係合部３９に各係止アーム３７のロック部３８が係合されるものとなっている。
【００３７】
尚、図１、図２、図６（ｂ）、図７（ｂ）、図８（ｂ）、図９（ｂ）に示すように、ツマミ１８の他側（上面側）には突起１８ａが形成され、アダプタ３１のハウジング３１ａの溝部３１ｃに係合することにより光コネクタＰのガイドおよびその挿入方向が規制されるようになっている。
【００３８】
以上の構成による光コネクタＰは、アダプタ３１への装着後には後述する抜去用キー工具５１を使わなければアダプタ３１から当該光コネクタＰが取り外せないようにしてある。すなわち、抜去用キー工具５１は、図１１に示すように、取っ手５３から平板状のアーム部５４が突設され、アーム部５４先端の下面側には傾斜部５２が形成されていると共に、アーム部５４の片面（図では上面）には扁平凹面状のキー溝５７が形成されている（後述する総責任者用のキー工具５１参照）。そして、抜去用キー工具５１のアーム部５４のキー溝５７がガイド用キー孔部４１に形成されているガイド突条４４に合致してガイド用キー孔部４１に挿入される。
【００３９】
このとき、図１０（ｂ）に示すように、取っ手５３がガイド用キー孔部４１の後側開口端縁に係止されるまで押し込まれた際には、アーム部５４先端（傾斜部５２）がツマミ１８の一側内壁と突起部２１ｃの押圧面部２３との間に差し込まれつつ、当該突起部２１ｃ自体は傾斜部５２によって内方（ストップリング１４側）へ押圧変形させられ、これによってツマミ１８の係止部３１ｄ、３１ｄに対するロックプレート２１の係合部２２両側の係合が解除されるものとしている。
【００４０】
そして、抜去用キー工具５１のアーム部５４の外形状がガイド用キー孔部４１の内形状（ガイド突条４４の位置や数）と正確に合致しないときは、当該ガイド用キー孔部４１にアーム部５４が挿入できないことから、アダプタ３１から光コネクタプラグ１１が取り外せないものとなっている。
【００４１】
また、本実施の形態では、ガイド用キー孔部４１をツマミ１８の突起１８ａ側とは反対の面（下面側）に設けてあるが、ツマミ１８の突起１８ａを基準としてガイド用キー孔部の位置を適宜変えても良い。例えば、図１６（ａ）はガイド用キー孔部４１をツマミ１８の突起１８ａ側平面に設けた場合であり、図１６（ｂ）はガイド用キー孔部４１を突起１８ａ位置に対してツマミ１８の左側面側に設けた場合であり、（ｃ）はガイド用キー孔部４１を突起１８ａ位置に対してツマミ１８の右側面側に設けた場合である。
【００４２】
次に、以上のように構成された形態についての使用・動作の一例について説明する。
先ず、ツマミ１８を手指で持ち、アダプタ３１の一方の嵌合部３１ｂに光コネクタプラグＰを装着する。このとき、図１、図２、図６（ｂ）に示すように、ツマミ１８の突起１８ａがアダプタ３１のハウジング３１ａの溝部３１ｃに係合すると同時に、プラグフレーム１２の左右側面の係合部３９にアダプタ３１のロック部３８が係合する。
すなわち、光コネクタプラグＰをアダプタ３１に押し込むとアダプタ３１内の係止アーム３７のロック部３８が光コネクタプラグＰのツマミ１８によって押し広げられ、更に押し込むことでロック部３８がプラグフレーム１２の係合部３９に係合しロック（結合）される。
【００４３】
また、このロック状態において、ロックプレート２１の係合部２２はその両側においてツマミ１８のガイド用キー孔部４１の矩形切欠部３１ｅ上部に間隔を置いて設けられた左右一対の係止部３１ｄ、３１ｄに係合されており、ツマミ１８に対しプラグフレーム１２が軸方向へ後退移動するのを阻止した状態となっている（図１２（ａ）、図１５（ｃ）参照）。
【００４４】
アダプタ３１から光コネクタプラグＰを抜去する時には、図７（ｂ）、図８（ｂ）、図１２（ｂ）に示すように、抜去用キー工具５１のアーム部５４をガイド用キー孔部４１に挿入し、取っ手５３がガイド用キー孔部４１の後側開口端縁に係止されるまで押し込む。このとき、アーム部５４先端（傾斜部５２）がツマミ１８の一側内壁と突起部２１ｃの押圧面部２３との間に差し込まれつつ、突起部２１ｃ自体は傾斜部５２によって内方（ストップリング１４側）へ押圧させられ、これによってツマミ１８の係止部３１ｄに対するロックプレート２１の係合部２２の係合が上下方向に解除される。
【００４５】
而して、ツマミ１８は、図９（ａ）に示すように、プラグフレーム１２に対して後退スライドしながらアダプタ３１の係止アーム３７のロック部３８を押し広げてロック解除させ、更に引き抜くことで光コネクタプラグＰがアダプタ３１から離脱され、アダプタ３１から光コネクタＰが手前へ抜去される。
【００４６】
また、ガイド用キー孔部４１に対して、種々の異なるキー溝５７を備えた抜去用キー工具５１を形成することで、責任レベルに従いキー操作できる範囲を決めることが可能である。
【００４７】
すなわち、図１３に示すように、例えば総責任者の所有する抜去用キー工具５１は、取っ手５３から平板状のアーム部５４が突設され、アーム部５４の片面中央には幅広な扁平凹面状のキー溝５７が形成されている。このような総責任者が所有する抜去用キー工具５１は、ガイド用キー孔部４１に形成されているガイド突条４４がこのキー溝５７の溝幅に対応して中央に１本ある場合、細長な３本のガイド突条４４がこのキー溝５７の溝幅に対応して等間隔に並置されている場合、片側に２本のガイド突条４４がこのキー溝５７の溝幅に架かるよう並置されている場合、中央に１本の細長なガイド突条４４がある場合等の全てに対応できてキー操作が可能となる。
【００４８】
また、責任レベル１の場合は、アーム部５４の片面中央に細長凹面状の３つのキー溝５７が形成されている。このようなレベル１の責任者が所有する抜去用キー工具５１は、ガイド用キー孔部４１に形成されているガイド突条４４がこれら３つのキー溝５７のうちの中央の溝幅に対応して中央に１本ある場合、片側に２本のガイド突条４４が２つのキー溝５７の溝幅に架かるよう並置されている場合、細長な３本のガイド突条４４がこれら３つのキー溝５７の各溝幅に対応して等間隔に並置されている場合等に対応できてキー操作が可能となる。
【００４９】
また、責任レベル２の場合は、アーム部５４の片面中央に２つのキー溝５７が形成され、キー溝５７を介しての片側のアーム部５４だけが幅広となっている。このようなレベル２の責任者が所有する抜去用キー工具５１は、ガイド用キー孔部４１に形成されているガイド突条４４がこれら２つのキー溝５７のうちの中央の溝幅に対応して中央に１本ある場合、片側に２本のガイド突条４４が２つのキー溝５７の各溝幅に架かるよう並置されている場合等に対応できてキー操作が可能となる。
【００５０】
また、責任レベル３の場合は、アーム部５４の片面中央に１つの幅狭なキー溝５７が形成されている。このようなレベル３の責任者が所有する抜去用キー工具５１は、ガイド用キー孔部４１に形成されているガイド突条４４がこの１本のキー溝５７の溝幅に対応して中央に１本ある場合等のみ対応できてキー操作が可能となる。
【００５１】
図１４は、図１３に対応するよう抜去用キー工具５１をガイド用キー孔部４１に挿入した状態の断面図を示し、（ａ）は総責任者が所有する抜去用キー工具５１を幅広なガイド突条４４を有するガイド用キー孔部４１に挿入した状態の縦断面図、（ｂ）はレベル１の責任者が所有する抜去用キー工具５１を３つのガイド突条４４を有するガイド用キー孔部４１に挿入した状態の縦断面図、（ｃ）はレベル２の責任者が所有する抜去用キー工具５１を２つのガイド突条４４を有するガイド用キー孔部４１に挿入した状態の縦断面図、（ｄ）はレベル３の責任者が所有する抜去用キー工具５１を１つのガイド突条４４を有するガイド用キー孔部４１に挿入した状態の縦断面図である。
【００５２】
こうして、ガイド用キー孔部４１の形状・配置・個数を、抜去用キー工具５１のキー溝５７の形状・配置・個数に対応させることにより、各責任レベル（役職）に従って、抜去用キー工具５１の操作できる範囲を決めることができ、これによって各レベル（部署）の責任者以外の者によるキー解除ができないような光コネクタセキュリティシステムを構築することができる。
【符号の説明】
【００５３】
Ｐ              光コネクタ
１１            フェルール
１２            プラグフレーム
１３            スプリング
１４            ストップリング
１４ａ          装着部
１５            カシメリング
１６            リング
１７            ブーツ
１８            ツマミ
１８ａ          突起
２１            ロックプレート
２１ａ          把持アーム部
２１ｂ          弾性プレート部
２１ｃ          突起部
２２            係合部
２２ａ          係止面部
２３            押圧面部
２４            天面部
２５ａ、２５ｂ  切欠部
２６            溝
３１            アダプタ
３１ａ          ハウジング
３１ｂ          嵌合部
３１ｃ          溝部
３１ｄ          係止部
３１ｅ          矩形切欠部
３１ｆ          ガイド凹部
３２            スリーブホルダー
３３            割りスリーブ
３５、３６      円筒
３７            係止アーム
３８            ロック部
３９            係合部
４１            ガイド用キー孔部
４４            ガイド突条
４５            傾斜面部
４６            係合用開口部
５１            抜去用キー工具
５２            傾斜部
５３            取っ手
５４            アーム部
５７            キー溝
【図１】
2012141392.tif 000003
【図２】
2012141392.tif 000004
【図３】
2012141392.tif 000005
【図４】
2012141392.tif 000006
【図５】
2012141392.tif 000007
【図６】
2012141392.tif 000008
【図７】
2012141392.tif 000009
【図８】
2012141392.tif 000010
【図９】
2012141392.tif 000011
【図１０】
2012141392.tif 000012
【図１１】
2012141392.tif 000013
【図１２】
2012141392.tif 000014
【図１３】
2012141392.tif 000015
【図１４】
2012141392.tif 000016
【図１５】
2012141392.tif 000017
【図１６】
2012141392.tif 000018